(57)【要約】【課題】南京錠を使用した鎖錠ハンドル装置のロック機構を提供する。【解決手段】扉２の側面に設けた枠部２１に取り付けて、扉前面に向け起伏自在としたハンドル１１により鎖錠部１２を、箱本体３に設けた係止部３１に係脱させて鎖錠、解錠を行う鎖錠用ハンドル装置１において、ハンドル１１が伏倒して扉の枠部２１に位置する鎖錠時に、ハンドル本体１３若しくはハンドル１１に格納したスライドフック４のロック部４ａによりハンドル引き上げ不能にとしたうえ該スライドフック４を南京錠５によりロックさせる。【選択図】  図１
2004162476.tif 000002
【特許請求の範囲】
【請求項１】
扉の側面に形成した枠部に取り付けて、扉前面に向け起伏自在としたハンドルにより鎖錠部を、箱本体に設けた係止部に係脱させて鎖錠、解錠を行う鎖錠用ハンドル装置において、ハンドルが伏倒して扉の枠部に位置する鎖錠時に、ハンドル本体若しくはハンドルに格納したスライドフックのロック部によりハンドルを引き上げ不能としたうえ該スライドフックを南京錠によりロックさせたことを特徴とする鎖錠用ハンドルのロック機構。
【請求項２】
スライドフックが上面を扉側に向けて上向き傾斜面に形成して先端側をハンドルに軸支させてハンドルに格納して、ハンドルの上面から下面に亘り貫通した貫通孔に挿通した南京錠のロック棒により前記傾斜面を押圧してスライドフックのロック部を扉の枠部に設けた係止孔に係合させたことを特徴する請求項１に記載の鎖錠用ハンドルのロック機構。
【請求項３】
スライドフックがロック部とレバー部によりなるものとしたうえ、ハンドルに軸支させてハンドルに格納して、レバー部の引き起こしによりロック部が扉の枠部に設けた係止孔に係合した状態においてレバー部に設けた貫通孔に南京錠のロック棒を挿通させて該スライドフックを南京錠によりロックさせたことを特徴する請求項１に記載の鎖錠用ハンドルのロック機構。
【発明の詳細な説明】
【０００１】
【発明の属する技術分野】
本発明は、ハンドルの操作により解錠、鎖錠を行う鎖錠ハンドル装置のロック機構に関するものである。
【０００２】
【従来の技術】
従来、部外者が悪戯などによりハンドルを操作するのを防止するためには、ハンドルロック用のシリンダー錠を組み込んだものが普通である。しかし、ハンドル装置にシリンダー錠のスペースが必要となり小型化しずらく、また、シリンダー錠のコスト分高いものとなってしまう。そこで、必要な場合のみ施錠できる南京錠を用いたものがある。（例えば、特許文献１参照）
【０００３】
【特許文献１】特開平８−１９９８６８号公報
【０００４】
【発明が解決しようとする課題】
ところが、前記特許文献１のものは、ハンドルを南京錠により固定するための突起部分が必要である。そのため、この突起部分を設けるためのスペースを必要とすることがあった。そこで、南京錠を使用しても突起部分を不用とした鎖錠ハンドル装置のロック機構が待望されている。
【０００５】
【課題を解決するための手段】
前記の課題を解決するためになされた本発明の端子装置は、扉の側面に形成した枠部に取り付けて、扉前面に向け起伏自在としたハンドルにより鎖錠部を、箱本体に設けた係止部に係脱させて鎖錠、解錠を行う鎖錠用ハンドル装置において、ハンドルが伏倒して扉の枠部に位置する鎖錠時に、ハンドル本体若しくはハンドルに格納したスライドフックのロック部によりハンドルを引き上げ不能としたうえ該スライドフックを南京錠によりロックさせたことを特徴とするものを請求項１に記載の発明とし、この発明において、スライドフックが上面を扉側に向けて上向き傾斜面に形成して先端側をハンドルに軸支させてハンドルに格納して、ハンドルの上面から下面に亘り貫通した貫通孔に挿通した南京錠のロック棒により前記傾斜面を押圧してスライドフックのロック部を扉の枠部に設けた係止孔に係合させたものを請求項２に記載の発明とする。そして、前記請求項１に記載の発明において、スライドフックがロック部とレバー部によりなるものとしたうえ、ハンドルに軸支させてハンドルに格納して、レバー部の引き起こしによりロック部が扉の枠部に設けた係止孔に係合した状態においてレバー部に設けた貫通孔に南京錠のロック棒を挿通させて該スライドフックを南京錠によりロックさせたものを請求項３に記載の発明とする。
【０００６】
前記したいずれの発明も、ハンドル本体若しくはハンドルに格納したスライドフックのロック部によりハンドルを引き上げ不能としたうえ該スライドフックを南京錠によりロックさせるものであるから、スライドフックのロック部は南京錠を外さない限り係止孔との係合を解くことができないので、ハンドルを操作して鎖錠部の解錠を行うことができないものである。そして、請求項２に記載の発明にあっては、南京錠のロッド棒をハンドルの上面から下面に亘り貫通した貫通孔に挿通させることによりロッド棒がスライドフックの傾斜面を押圧してロック部を扉の枠部に設けた係止孔に係合させた状態を保持するのでスライドフックを南京錠によりロックしたものとなる。また、請求項３に記載の発明にあっては、ロック部を扉の枠部に設けた係止孔に係合させるためにハンドルの側面に引き起こしたレバー部に設けた貫通孔に南京錠のロック棒を挿通させればレバー部が南京錠のロッド棒にハンドルへの格納が規制されてスライドフックを南京錠によりロックされたものである。
【０００７】
【発明の実施の形態】
次に、本発明の実施の形態を図により説明する。
〔第１の実施形態〕
先ず、第１の実施形態を図１〜図５を参照して説明する。１は箱本体３の開口部を施蓋する扉２の側面に形成した枠部２１の外面に取り付けた鎖錠用ハンドル装置である。この鎖錠用ハンドル装置１は、ハンドル本体１３に設けた扉前面に向け起伏自在のハンドル１１により鎖錠部１２を、箱本体３に設けた係止部３１に係脱させて鎖錠、解錠を行うものであり、ハンドル１１が図４に示すように伏倒時に鎖錠部１２が鎖錠状態を図５に示すように引き上げ時に鎖錠部１２が解錠状態をとるものとされている。
【０００８】
前記ハンドル１１にはスライドフック４が格納した状態で設けられおり、該スライドフック４はハンドル１１が伏倒して扉２の枠部２１に位置する鎖錠時に、ロック部４１を扉２の枠部２１に設けた係止孔２１ａに係合させたうえ南京錠５によりロックさせることができ、ハンドル１１が引き上げ不能となるものであり、部外者が悪戯などによりハンドルを操作するのを防止できるものである。そして、南京錠５を引掛けるスライドフック４は動作可能なもので、ハンドル１１に格納できるものであるから鎖錠、解錠時におけるハンドル操作の支障となることがなく、外観上体裁が良い。また、南京錠５によるロックであるから外部から容易にロック状態を確認できるものである。
【０００９】
なお、スライドフック４はこの第１の実施形態のものは、上面４１を扉側に向けて上向き傾斜面に形成して基端側をハンドル１１に対して水平回動できるように軸支して先端側をロック部４ａに形成したものである。また、該スライドフック４はハンドル１１の下面を斜めに削ぎ形成した収納個所にばね６により常時格納されているものである。そして、前記スライドフック４の上面を臨むハンドル１１の上面から下面に亘り貫通孔７が設けられており、該貫通孔７に南京錠５のロック棒５ａを挿通することにより、ロック棒５ａの先端がスライドフック４の傾斜面を滑ることによりスライドフック４のロック部４ａを扉側に押圧して該ロック部４ａを扉２の枠部２１に設けた係止孔２１ａに自動的に係合させ、また、南京錠５のロック棒５ａがこの係合状態を保持して、南京錠５によるロックが行われるものである。そして、南京錠５のロック棒５ａを外すとスライドフック４は自動的にハンドル１１内に格納するものである。このように、スライドフック４は常時はハンドル１１に格納したものである。
【００１０】
〔第２の実施形態〕
続いて、第２の実施形態を図６〜図８を参照して説明する。この実施形態は第１の実施形態とは、スライドフック４の構造と南京錠５によるロックの方法が相違するのみであるから他の説明は第１の実施形態の説明を援用する。
すなわち、この実施形態にあっては、スライドフック４がロック部４ａとレバー部４ｂによりなるものとしたうえ、その中心部をハンドル１１に対して水平回動できるように軸支してハンドル１１の下面に格納したものである。そして、レバー部４ｂの引き起こし操作によりロック部４ａが扉２の枠部２１に設けた係止孔２１ａに係合するものであり、この引き起こし操作によりハンドル１１の側部から張出するレバー部４ｂに設けた貫通孔８に南京錠５のロック棒５ａを挿通させて該スライドフック４を南京錠５によりロックさせ、ハンドル１１が引き上げ不能となるものである。
【００１１】
なお、前記、レバー部４ｂは回動操作が容易となるように、ハンドル１１の側面に添う起立板部４ｃを設けて、この起立板部４ｃに貫通孔８を設けたものとしている。また、スライドフック４のロック部４ａ、レバー部４ｂ及び起立板部４ｃはハンドル１１に下面及び側面に形成した凹段部に格納したものとしてハンドル１１から突出しないものとしている。さらに、スライドフック４は南京錠によりロックをされない場合には図示を略したばねにより常時格納状態を保持しているものである。なお、この実施形態のばねを無くし、手動によりスライドフックを引き起こし、格納操作するようにしてもよい。
【００１２】
以上で説明した第１、第２の実施形態では、スライドフック４が扉２の枠部２１に設けた係止孔２１ａに係合することによってハンドル１１が引き上げ不能になりロックさせるものであるが、この他にもスライドフック４がハンドル本体１３に係合することによってハンドル１１が引き上げ不能となりロックされるようにしてもよい。また、スライドフック４をハンドル本体１３に格納して南京錠５によりロックするとハンドル１１が引き上げ不能となるようにしてもよい。
【００１３】
【発明の効果】
以上に説明したように、本発明の鎖錠用ハンドルのロック機構は、ハンドルに格納したスライドフックのロック部を扉の枠部に設けた係止孔に係合させたうえ該スライドフックを南京錠によりロックさせるものであるから、スライドフックのロック部は南京錠を外さない限り係止孔との係合を解くことができないので、ハンドルを操作して鎖錠部の解錠を行うことができないものである。そして、スライドフックはハンドル本体若しくはハンドルに格納できるものであるから鎖錠、解錠時におけるハンドル操作の支障となることがなく、外観上体裁が良い。
従って、本発明の鎖錠用ハンドルのロック機構は従来の問題点を解決したものとしてその益大なものである。
【図面の簡単な説明】
【図１】本発明の第１の実施形態を示す平面図である。
【図２】本発明の第１の実施形態を示す斜視図である。
【図３】本発明の第１の実施形態を示す要部の斜視図である。
【図４】本発明の第１の実施形態を示す側面図である。
【図５】本発明の第１の実施形態を態様を異にして示す側面図である。
【図６】本発明の第２の実施形態を示す平面図である。
【図７】本発明の第２の実施形態を示す斜視図である。
【図８】本発明の第２の実施形態を示す要部の斜視図である。
【符号の説明】
１  鎖錠用ハンドル装置
１１  ハンドル
１２  鎖錠部
１３  ハンドル本体
２  扉
２１  枠部
２１ａ    係止孔
３  箱本体
４  スライドフック
４１  上面
４ａ  ロック部
４ｂ  レバー部
５  南京錠
７  貫通孔
８  貫通孔
【図１】
2004162476.tif 000003
【図２】
2004162476.tif 000004
【図３】
2004162476.tif 000005
【図４】
2004162476.tif 000006
【図５】
2004162476.tif 000007
【図６】
2004162476.tif 000008
【図７】
2004162476.tif 000009
【図８】
2004162476.tif 000010